(57)【要約】      （修正有）【課題】小型且つ単純な構造で、リモートコントローラを容易に且つ安定して保持させることができる電気機器を提供する。【解決手段】リモートコントローラ３と電気機器本体としての再生装置本体２とを有する電気機器としての光ディスク再生装置１であって、再生装置本体２のハンドル５にフック受部としての横杆部１１を設け、リモートコントローラ３の外殻体１２における軽端Ｌ寄りの反操作面１９に爪部を有するフック部１８を設け、このフック部１８よりも重端Ｈ寄りの反操作面１９に当接部を設け、フック部１８を横杆部１１に掛け、前記当接部を再生装置本体２に当接させて、再生装置本体２に対しリモートコントローラ３を傾斜状態で支持させたことで、再生装置本体２の構造を複雑化させずに、再生装置本体２にリモートコントローラ３を容易に且つ安定して支持させることができる。【選択図】図４
0003169527.tif 000002
【実用新案登録請求の範囲】
【請求項１】
電気機器本体と、この電気機器本体を遠隔操作するためのリモートコントローラとを有する電気機器において、
前記電気機器本体にフック受部を設け、前記リモートコントローラが重端と軽端とを有し、前記リモートコントローラの外殻体における軽端寄りの反操作面にフック部を設け、前記フック部が爪部を有して構成されると共に、前記フック部よりも重端寄りの反操作面に、前記電気機器本体に接する当接部を設け、前記フック部と当接部とで、前記電気機器本体に対し前記リモートコントローラを傾斜状態で支持可能に構成したことを特徴とする電気機器。
【請求項２】
前記リモートコントローラの重心を、前記当接部よりも重端寄りとしたことを特徴とする請求項１記載の電気機器。
【請求項３】
前記フック部が、前記リモートコントローラの外殻体の反操作面から左右両側面にかけて形成された凹部を有すると共に、この凹部における軽端側端部に前記爪部を設けたことを特徴とする請求項１又は２の何れか１項に記載の電気機器。
【請求項４】
前記フック受部を横棒状に形成すると共に、前記電気機器本体が前記リモートコントローラを支持した際に前記フック受部の直下に位置するように、前記フック部の重端側端部に回動規制部を形成したことを特徴とする請求項１乃至３の何れか１項記載の電気機器。
【請求項５】
前記フック部の軽端寄りの端部を、左右方向に直線的に形成すると共に、前記フック受部の上端を左右方向に水平に形成したことを特徴とする請求項１乃至４の何れか１項に記載の電気機器。
【考案の詳細な説明】
【技術分野】
【０００１】
本考案は、リモートコントローラが付属した電気機器に関するものであり、特に、リモートコントローラを保持することができる電気機器に関するものである。
【背景技術】
【０００２】
従来、この種の電気機器としては、電気機器本体に設けた係合爪を、リモートコントローラに設けた係合部と係合させることで、リモートコントローラを電気機器本体に保持させるもの（例えば、特許文献１参照。）、電気機器本体に凹部を設け、この凹部にリモートコントローラをスライド操作で嵌入して、リモートコントローラを電気機器本体に保持させるもの（例えば、特許文献２参照。）、リモートコントローラにフックを設け、電気機器本体に止め具を設け、この止め具にフックを掛けることで、電気機器本体にリモートコントローラを保持させるもの（例えば、特許文献３参照。）等が知られている。
【先行技術文献】
【特許文献】
【０００３】
【特許文献１】特開平７−１０７５７５号公報
【特許文献２】特公平４−１３７８０号公報
【特許文献３】実開昭６３−１５０２４４号公報
【考案の概要】
【考案が解決しようとする課題】
【０００４】
しかしながら、特許文献１及び特許文献２のような構造の電気機器は、電気機器本体にリモートコントローラを取り付けるための構造が必要となるため、電気機器本体が大型化したり複雑な構造になったりする虞があった。更に、特許文献３のような構造の電気機器は、単にリモートコントローラを吊り下げるだけなので、リモートコントローラが揺れやすく、このリモートコントローラが電気機器本体又は周囲の物体に衝突して、リモートコントローラ自体、電気機器本体、或いは周囲の物体を傷めてしまう虞があった。
【０００５】
本考案は以上の問題点を解決し、小型且つ単純な構造で、リモートコントローラを容易に且つ安定して保持させることができる電気機器を提供することを目的とする。
【課題を解決するための手段】
【０００６】
本考案の請求項１に記載の電気機器は、電気機器本体と、この電気機器本体を遠隔操作するためのリモートコントローラとを有する電気機器において、前記電気機器本体にフック受部を設け、前記リモートコントローラが重端と軽端とを有し、前記リモートコントローラの外殻体における軽端寄りの反操作面にフック部を設け、前記フック部が爪部を有して構成されると共に、前記フック部よりも重端寄りの反操作面に、前記電気機器本体に接する当接部を設け、前記フック部と当接部とで、前記電気機器本体に対し前記リモートコントローラを傾斜状態で支持可能に構成したものである。
【０００７】
また、本考案の請求項２に記載の電気機器は、請求項１において、前記リモートコントローラの重心を、前記当接部よりも重端寄りとしたものである。
【０００８】
また、本考案の請求項３に記載の電気機器は、請求項１又は２の何れか１項において、前記フック部が、前記リモートコントローラの外殻体の反操作面から左右両側面にかけて形成された凹部を有すると共に、この凹部における軽端側端部に前記爪部を設けたものである。
【０００９】
また、本考案の請求項４に記載の電気機器は、請求項１乃至３の何れか１項において、前記フック受部を横棒状に形成すると共に、前記電気機器本体が前記リモートコントローラを支持した際に前記フック受部の直下に位置するように、前記フック部の重端側端部に回動規制部を形成したものである。
【００１０】
更に、本考案の請求項５に記載の電気機器は、請求項１乃至４の何れか１項において、前記フック部の軽端寄りの端部を、左右方向に直線的に形成すると共に、前記フック受部の上端を左右方向に水平に形成したものである。
【考案の効果】
【００１１】
本考案の請求項１に記載の電気機器は、以上のように構成することにより、前記電気機器本体のフック受部に前記リモートコントローラのフック部を掛けることで、前記リモートコントローラの外殻体の当接部が前記電気機器本体に当接し、前記フック部と当接部とで、前記リモートコントローラが前記電気機器本体に対して傾斜状態で支持されるので、前記電気機器本体の構造を複雑化させることなく、前記リモートコントローラを電気機器本体に対して、容易に且つ安定して支持させることができる。
【００１２】
なお、前記リモートコントローラの重心を、前記当接部よりも重端寄りとすれば、前記当接部が前記電気機器本体に対し強く当接するので、前記リモートコントローラを電気機器本体に対して、より安定して支持させることができる。
【００１３】
また、前記フック部を、前記リモートコントローラの外殻体の反操作面から左右両側面にかけて形成された凹部と、この凹部における軽端側端部に設けた前記爪部とを有して構成すれば、前記リモートコントローラの傾斜角度を大きくして、より安定させた状態で前記リモートコントローラを支持させることができるばかりでなく、反操作面側への前記爪部の突出量を最小限に抑え、この爪部が邪魔にならないようにすることができる。
【００１４】
また、前記フック受部を横棒状に形成すると共に、前記電気機器本体が前記リモートコントローラを支持した際に前記フック受部の直下に位置するように、前記フック部の重端側端部に回動規制部を形成すれば、前記リモートコントローラが左右方向に揺動しようとしても、前記回動規制部が前記フック受部の下部に当接して揺動を抑えることができるので、前記リモートコントローラを電気機器本体に対して、より安定して支持させることができる。
【００１５】
更に、前記フック部の軽端寄りの端部を、左右方向に直線的に形成すると共に、前記フック受部の上端を左右方向に水平に形成すれば、前記リモートコントローラをより揺動させにくくすることができるので、前記リモートコントローラを電気機器本体に対して、より安定して支持させることができる。
【図面の簡単な説明】
【００１６】
【図１】本考案の一実施形態を示す電気機器のリモートコントローラの外観図であり、（ａ）は正面図、（ｂ）は右側面図である。
【図２】同、リモートコントローラのフック部の拡大図である。
【図３】同、電気機器全体の正面図である。
【図４】同、電気機器全体の側面図である。
【図５】同、リモートコントローラを電気機器本体へ取り付ける手順を示す要部右側面図である。
【図６】同、リモートコントローラを電気機器本体へ取り付ける手順を示す要部右側面図である。
【図７】同、リモートコントローラを電気機器本体へ取り付ける手順を示す要部右側面図である。
【考案を実施するための形態】
【００１７】
以下、本考案の実施形態について、図１乃至図７に基づいて説明する。１は本考案の電気機器としての光ディスク再生装置である。この光ディスク再生装置１は、電気機器本体としての再生装置本体２と、リモートコントローラ３とを有する。前記再生装置本体２は、本体部４と、ハンドル５とを有する。前記本体部４は、正面側に画面６と、スピーカ７とを有する。また、前記本体部４は、上面側に操作用スイッチ８を有する。更に、前記本体部４は、背面側に光ディスクドライブ９を有する。そして、前記ハンドル５は、一対の回動腕部１０と、これらの回動腕部１０の先端部１０Ａ同士を結ぶように設けられたフック受部としての横杆部１１とを有する。なお、これら回動腕部１０と横杆部１１は、一体に形成される。前記各回動腕部１０は、その基端部１０Ｂが、前記本体部４の左右両側面において、回動可能に軸支される。なお、この横杆部１１の上端面１１Ａは、設置状態において左右方向に水平となる。また、前記横杆部１１は、前記本体部４の上端前縁部４Ａと平行である。このように、前記再生装置本体２は、単純な構造となる。
【００１８】
前記リモートコントローラ３は、外殻体１２と、赤外線発光部１３とを有する。また、前記リモートコントローラ３の長さ方向における、前記赤外線発光部１３の反対側には、重量物である電池１４が出し入れ可能に収容される。このため、前記リモートコントローラ３の重心Ｇは、リモートコントローラ３の中心よりも前記電池１４が収容された側に偏る。従って、前記リモートコントローラ３は、前記赤外線発光部１３側が軽端Ｌ、前記電池１４が収容された側が重端Ｈとなる。前記外殻体１２の操作面１５には複数の貫通孔１６が形成されており、これらの貫通孔１６に対応して、これらの貫通孔１６から複数の操作ボタン１７が露出する。また、前記外殻体１２の軽端Ｌ寄りには、フック部１８が設けられる。このフック部１８は、前記外殻体１２の操作面１５の反対側となる反操作面１９から、前記外殻体１２の右側面２０及び左側面（図示せず）にかけて抉るように形成された凹部２１と、この凹部２１の軽端Ｌ側の端部に形成された爪部２２とを有して構成される。このように、前記フック部１８が、前記外殻体１２を抉るように形成された凹部２１を有することで、前記フック部１８を構成する前記爪部２２の突出量を最小限に抑えて、この爪部２２が邪魔にならないようにすることができる。なお、前記凹部２１の軽端Ｌ寄りの面２１Ａは、左右方向に直線的である。そして、前記凹部２１の軽端Ｌ寄りの面２１Ａと、底面２１Ｂと、前記爪部２２の内面２２Ａによって規定される前記フック部１８の凹面１８Ａの形状は、前記横杆部１１の前面１１Ｂと、上面１１Ａと、背面１１Ｃによって規定される凸面１１Ｄの形状と同等に形成される。但し、前記凹面１８Ａの左右方向の幅は、前記横杆部１１の左右方向の幅よりも狭い。また、前記凹部２１の重端Ｈ側には、回動規制部となる突部２３が形成される。なお、前記爪部２１の先端から前記突部２３までの距離は、前記横杆部１１の前後方向の幅よりも僅かに大きくなるように形成される。更に、前記凹部２１よりも重端Ｈ側となる位置で且つ前記反操作面１９のほぼ中央部が、前記本体部４の上端前縁部４Ａに当接する当接部２４となる。なお、この当接部２４は、単に前記本体部４の上端前縁部４Ａに当接する部位であり、本例では、平坦な前記反操作面１９の一部である。しかしながら、前記当接部２４として、前記外殻体１２に特別な構成（例えば、ズレ防止のための凹部や、破損防止のための緩衝部材等）を設けても良い。また、前記リモートコントローラ３の重心Ｇは、前記当接部２４よりも重端Ｈ側に偏る。このように、前記リモートコントローラ３も、単純な構造となる。
【００１９】
次に、本実施形態の作用について説明する。なお、光ディスクを再生する手順については、説明するまでもなく周知であるので、省略する。前記光ディスク再生装置１の不使用時、或いは前記光ディスク再生装置１を携帯する際に、前記リモートコントローラ３は、前記ハンドル５の横杆部１１に支持される。
【００２０】
前記再生装置本体２による前記リモートコントローラ３の支持について詳述する。前記リモートコントローラ３は、図５に示すように、前記フック部１８を前記再生装置本体２の前方から前記ハンドル５の横杆部１１に掛け、図６に示すように、前記爪部２１と突部２３との間に前記横杆部１１が挿入されるように回動させた後、図７に示すように、前記当接部２４を前記再生装置本体２の本体部４の上端前縁部４Ａに当接させることで、前記再生装置本体２に支持される。このように、前記リモートコントローラ３は、前記再生装置本体２に対し容易に取り付けることができる。なお、前記リモートコントローラ３は、前記再生装置本体２に対し傾斜した状態で支持される。また、前記フック部１８の凹面１８Ａは、前記横杆部１１の凸面１１Ｄに当接する。また、前記凹部２１の重端Ｈ側に設けられた前記突部２３は、前記横杆部１１の直下に位置する。更に、前述した通り、前記凹面１８Ａの左右方向の幅が、前記横杆部１１の左右方向の幅よりも狭いので、前記リモートコントローラ３は、前記横杆部１１の任意の位置に取り付けることができる。
【００２１】
前記リモートコントローラ３は、前記爪部２２が前記横杆部１１の背面１１Ｃに掛かることで、前記横杆部１１から前方へ外れることが阻止される。そして、前述した通り、同等の形状に形成された前記フック部１８の凹面１８Ａと前記横杆部１１の凸面１１Ｄが当接するので、前記横杆部１１に対する前記フック部１８の前後方向の遊びが最小限に抑えられる。これによって、前記光ディスク再生装置１の携帯時に、振動等によって前記フック部１８が前記横杆部１１から外れることが阻止される。また、前記当接部２４が前記再生装置本体２の本体部４の上端前縁部４Ａに当接するので、前記リモートコントローラ３は、前記フック部１８だけでなく、前記当接部２４によっても支持される。即ち、前記リモートコントローラ３は、前記再生装置本体２に二箇所で支持される。このため、前記リモートコントローラ３は、前記再生装置本体２に安定して支持される。そして特に、前記リモートコントローラ３の重心Ｇが、前記当接部２４よりも重端Ｈ側に偏っているので、前記フック部１８を支点とすると、作用点である前記当接部２４は、前記上端前縁部４Ａに強く当接する。一方、前記当接部２４を支点とすると、作用点である前記フック部１８の爪部２２は、前記横杆部１１の背面１１Ｃに強く当接する。このように、前記フック部１８の爪部２２及び前記当接部２４が、それぞれ前記横杆部１１の背面１１Ｃ及び前記再生装置本体２の本体部４の上端前縁部４Ａに強く当接することで、前記リモートコントローラ３は、前記再生装置２により安定して支持される。更に、前述した通り、前記リモートコントローラ３の外殻体１２に凹部２１を形成することで、前記リモートコントローラ３の傾斜角度を大きくすることができる。このように、前記リモートコントローラ３の傾斜角度を大きくすると、前記当接部２４を前記再生装置本体２の本体部４の上端前縁部４Ａに押しつける方向に働く重力の分力を大きくすることができるので、前記当接部２４は、前記上端前縁部４Ａに更に強く当接する。従って、前記リモートコントローラ３は、前記再生装置２に更に安定して支持される。
【００２２】
また、前記リモートコントローラ３を前記再生装置本体２に支持させた状態で、前記突部２３が前記横杆部１１の直下に位置するので、前記リモートコントローラ３が左右方向に揺動しようとすると、前記突部２３が前記横杆部１１の下端前縁部１１Ｅに当接する。このようにして、前記リモートコントローラ３は、揺動が抑えられる。これによって、前記リモートコントローラ３は、前記再生装置本体２に対してより安定して支持される。また、前記突部２３が前記横杆部１１の直下に位置することで、前記横杆部１１に対する前記フック部１８の前後方向の遊びが最小限に抑えられることと相まって、前記リモートコントローラ３は前記再生装置本体２から外れにくくなっている。即ち、前記リモートコントローラ３全体を直上方に持ち上げようとしても、前記突部２３が前記横杆部１１の下端前縁部１１Ｅに当接すると共に、前記爪部２１が前記横杆部１１の背面１１Ｃに当接することで、前記フック部１８が前記横杆部１１から外れることが阻止される。更に、前記フック部１８の軽端Ｌ寄りの面２１Ａが、左右方向に直線的に形成されると共に、前記横杆部１１の上面１１Ａが左右方向に水平に形成されるので、前記リモートコントローラ３を前記再生装置本体２に支持させた際に、前記フック部１８は、前記横杆部１１に対し、左右方向に面接触或いは線接触する。従って、前記リモートコントローラ３は、左右方向に揺動しにくく、前記再生装置本体２に対して、より安定して支持させることができる。このように、前記光ディスク再生装置１の携帯時に、前記リモートコントローラ３の左右方向の揺動や上下方向の移動が抑えられるので、前記フック部１８が前記横杆部１１から意図せず外れるのを阻止することができる。
【００２３】
なお、前記リモートコントローラ３を前記再生装置本体２から取り外す場合、前記リモートコントローラ３の重端Ｈ側を把持し、前記フック部１８を中心に回動させるように持ち上げた後、前記リモートコントローラ３全体を上方に持ち上げる。このようにして、前記リモートコントローラ３は前記再生装置本体２から容易に取り外される。
【００２４】
以上のように本考案は、電気機器本体としての再生装置本体２と、この再生装置本体２を遠隔操作するためのリモートコントローラ３とを有する電気機器としての光ディスク再生装置１であって、前記再生装置本体２のハンドル５にフック受部としての横杆部１１を設け、前記リモートコントローラ３の外殻体１２における軽端Ｌ寄りの反操作面１９に爪部２１を有するフック部１８を設け、このフック部１８よりも重端Ｈ寄りの反操作面１９に、当接部２４を設け、前記フック部１８を前記横杆部１１に掛けると共に、前記当接部２４を前記再生装置本体２に当接させて、前記再生装置本体２に対し前記リモートコントローラ３を傾斜状態で支持させたことで、前記再生装置本体２の構造を複雑化させることなく、前記リモートコントローラ３を再生装置本体２に対して、容易に且つ安定して支持させることができるものである。
【００２５】
また、本考案は、前記リモートコントローラ２の重心Ｇを、前記当接部２４よりも重端Ｈ寄りとすることで、前記当接部２４を前記再生装置本体２に対し強く当接させることができるので、前記リモートコントローラ３を再生装置本体２に対して、より安定して支持させることができるものである。
【００２６】
また、本考案は、前記リモートコントローラ３の外殻体１２の反操作面１９から右側面２０及び図示しない左側面にかけて抉るように形成された凹部２２の軽端Ｌ側端部に前記爪部２１を設けて、前記フック部１８を構成することで、前記リモートコントローラ３の傾斜角度を大きくして、より安定させた状態で前記リモートコントローラ３を支持させることができるばかりでなく、前記反操作面１９側への前記爪部２１の突出量を最小限に抑え、この爪部２１が邪魔にならないようにすることができるものである。
【００２７】
また、本考案は、前記再生装置本体２に前記リモートコントローラ３を支持させた際に、横棒状に形成された前記横杆部１１の直下に、前記フック部１８の重端Ｈ側端部に形成された回動規制部としての突部２３を位置させることで、前記リモートコントローラ３が左右方向に揺動しようとしても、前記突部２３が前記横杆部１１の下端前縁部１１Ｅに当接して揺動を抑えることができるので、前記リモートコントローラ３を再生装置本体２に対して、より安定して支持させることができるものである。
【００２８】
更に、本考案は、前記フック部１８の凹部２２における軽端Ｌ寄りの面２２Ａを、左右方向に直線的に形成すると共に、前記横杆部１１の上面１１Ａを左右方向に水平に形成することで、前記リモートコントローラ３をより揺動させにくくすることができるので、前記リモートコントローラ３を再生装置本体２に対して、より安定して支持させることができるものである。
【００２９】
なお、本考案は以上の実施形態に限定されるものではなく、考案の要旨の範囲内で種々の変形実施が可能である。例えば、上記実施形態では、フック受部をハンドルの横杆部としたが、ハンドル以外の要素をフック受部としても良い。
【符号の説明】
【００３０】
１  光ディスク再生装置（電気機器）
２  再生装置本体（電気機器本体）
３  リモートコントローラ
４Ａ  上端前縁部
１１  横杆部（フック受部）
１１Ａ  上端部
１２  外殻体
１８  フック部
１９  反操作面
２０  右側面（側面）
２１  凹部
２１Ａ  面（端部）
２２  爪部
２３  突部（回動規制部）
２４  当接部
Ｇ  重心
Ｈ  重端
Ｌ  軽端
【図１】
0003169527.tif 000003
【図２】
0003169527.tif 000004
【図３】
0003169527.tif 000005
【図４】
0003169527.tif 000006
【図５】
0003169527.tif 000007
【図６】
0003169527.tif 000008
【図７】
0003169527.tif 000009